(57)【要約】【課題】  コインカップの機能上の自由度や利便性を選択的に向上させることのできる遊技機を提供する。【解決手段】  遊技機の筐体２を開閉するドア２３に、コインＣを貯留するコインカップ２６を設け、コインカップ２６を、上部が開口して左右横長に形成され、ドア２３に装着された外側カップ２７と、上部が開口し、外側カップ２７の前部に揺動可能に軸支されたコイン貯留用の内側カップ２９とから構成し、内側カップ２９を、外側カップ２７上に載置されてその左右方向に並ぶ複数の分割カップ３２により構成する。分割カップ３２を、両側部のうち少なくとも一側部と上部とがそれぞれ開口され、外側カップ２７の前部を中心に外側カップ２７に載置されている載置位置と外側カップ２７の外側の位置との間を回転する本体部３３と、本体部３３とは別に設けられ、本体部３３の開口した側部を塞いで分割カップ３２の側壁を形成する仕切り板とから構成する。【選択図】  図１
2007075526.tif 000002
【特許請求の範囲】
【請求項１】
筐体の開口を開閉するドアに、上部が開口したコインカップを設け、このコインカップに払い出されたコインを貯留する遊技機であって、
コインカップは、上部が開口して左右に横長に形成され、ドアに設けられた外側カップと、上部が開口し、外側カップの前部に回転可能に支持されたコイン貯留用の内側カップとを含み、
内側カップは、外側カップ上に載置されてその左右長手方向に並べられた複数の分割カップを備え、
分割カップは、両側部のうち少なくとも一側部と上部とがそれぞれ開口され、外側カップの前部を中心に外側カップに載置されている載置位置と外側カップの外側の位置との間を回転する本体部と、この本体部とは別に設けられ、本体部の開口した側部を塞いで分割カップの側壁を形成する仕切り板とを含み、この仕切り板を、外側カップに載置された分割カップの本体部に連結されて分割カップの側壁を形成する連結位置と、この連結位置から筐体側に退避した退避位置との間で進退動させるようにしたことを特徴とする遊技機。
【請求項２】
筐体側に設置されて仕切り板を退避位置に収納する収納ケースと、この収納ケースに収納された仕切り板を連結位置の方向に付勢する付勢体と、コインカップの内部と収納ケースとを連通する出没孔と、この出没孔を開閉し、出没孔の開放時には収納ケースに収納された仕切り板が連結位置の方向に進出するのを許容し、出没孔の閉塞時には収納ケースに収納された仕切り板が連結位置の方向に進出するのを規制するシャッタとを含む請求項１記載の遊技機。
【請求項３】
相互に隣接する二枚一組の仕切り板と、内側カップを構成する分割カップの非回転時には二枚一組の仕切り板を連結し、内側カップを構成する分割カップの回転時には二枚一組の仕切り板の連結を解除する連結具とを含む請求項１又は２記載の遊技機。
【発明の詳細な説明】
【技術分野】
【０００１】
本発明は、払い出されたコインを貯留するコインカップの内部を複数の空間に区画したり、あるいは区画された空間のコインのみを外部に移し替えることのできる遊技機に関するものである。
【背景技術】
【０００２】
ホールと呼ばれる遊技店には、パチンコ遊技機の他に、パチスロと呼ばれるスロットマシンが設置されているが、この図示しないスロットマシンで遊技する場合には、コイン投入口にコインを好ましくは３枚投入してスタートレバー装置のレバー軸を押し下げる。こうしてレバー軸を操作すると、上部パネルに複数の図柄を３×３のマトリクスに表示している複数のリールがそれぞれ回転し、制御装置の当選抽選手段が当たり外れを抽選する。
【０００３】
この際、コインを３枚以上投入すると、表示器がクレジットの増加を表示し、５０枚以上になると、コインカップ内にコインが払い出される。このコインカップは、上部の開口した横長のトップオープンボッスクタイプに形成され、スロットマシンを構成する筐体ユニットのドアの正面下部に装着されている。
【０００４】
次いで、複数のストップボタンを順次押圧操作して複数のリールを全て停止させると、抽選の結果が当たりの場合には、「７」「７」「７」のように複数の図柄が一直線に揃い、予め定められた特定図柄の組み合わせとなる。したがって、この場合には、ビッグボーナスに当選し、小当たりとレギュラーボーナスが高確率で当選するゲームを所定回数楽しむことができ、コインが図柄に応じた枚数分コインカップに払い出される（特許文献１参照）。
【特許文献１】特開２００４‐１５９７８３号公報
【発明の開示】
【発明が解決しようとする課題】
【０００５】
従来における遊技機は、以上のようにコインカップが上部の開口した単なる横長のトップオープンボックスに形成され、コインの貯留機能しか付与されていないので、コインカップの機能上の自由度や利便性に欠けるという大きな問題がある。
【０００６】
例えば、遊技者は、コインカップの全領域に払い出されたコインを貯留しておきたいと考える場合もあるが、時としてコインカップの中央部に払い出されたコインの山を左右方向に振り分け、右側の山のみを使用して遊技し、左側の山を確保しておきたい場合がある。この場合、従来のコインカップでは、コインの払い出し毎にコインを左右に振り分けねばならず、煩雑な作業に悩まされることとなる。また、左側のコインの山のみをドル箱と呼ばれる収容箱に一度にまとめて速やかに移し替えたいこともある。
【０００７】
さらに、遊技者は、コインカップに払い出されたコインの山を右側の空間に押しやり、左側の空間に煙草、ライター、持ち物を置いて遊技したいことがあるが、従来のコインカップでは、煙草、ライター、持ち物がコインに埋まり、紛失するおそれがある。
【０００８】
本発明は上記に鑑みなされたもので、コインカップの機能上の自由度や利便性を選択的に向上させることのできる遊技機を提供することを目的としている。
【課題を解決するための手段】
【０００９】
本発明においては上記課題を解決するため、筐体の開口を開閉するドアに、上部が開口したコインカップを設け、このコインカップに払い出されたコインを貯留する遊技機であって、
コインカップは、上部が開口して左右に横長に形成され、ドアに設けられた外側カップと、上部が開口し、外側カップの前部に回転可能に支持されたコイン貯留用の内側カップとを含み、
内側カップは、外側カップ上に載置されてその左右長手方向に並べられた複数の分割カップを備え、
分割カップは、両側部のうち少なくとも一側部と上部とがそれぞれ開口され、外側カップの前部を中心に外側カップに載置されている載置位置と外側カップの外側の位置との間を回転する本体部と、この本体部とは別に設けられ、本体部の開口した側部を塞いで分割カップの側壁を形成する仕切り板とを含み、この仕切り板を、外側カップに載置された分割カップの本体部に連結されて分割カップの側壁を形成する連結位置と、この連結位置から筐体側に退避した退避位置との間で進退動させるようにしたことを特徴としている。
【００１０】
なお、筐体側に設置されて仕切り板を退避位置に収納する収納ケースと、この収納ケースに収納された仕切り板を連結位置の方向に付勢する付勢体と、コインカップの内部と収納ケースとを連通する出没孔と、この出没孔を開閉し、出没孔の開放時には収納ケースに収納された仕切り板が連結位置の方向に進出するのを許容し、出没孔の閉塞時には収納ケースに収納された仕切り板が連結位置の方向に進出するのを規制するシャッタとを含むと良い。
【００１１】
また、相互に隣接する二枚一組の仕切り板と、内側カップを構成する分割カップの非回転時には二枚一組の仕切り板を連結し、内側カップを構成する分割カップの回転時には二枚一組の仕切り板の連結を解除する連結具とを含むと良い。
【００１２】
ここで、特許請求の範囲におけるドアは、筐体の開口した正面の一部を開閉するものでも良いし、全正面を開閉するものでも良い。仕切り板の形状は、複数の内側カップの区画に支障を来たさなければ、自由に変更することができる。また、仕切り板やシャッタには、手動操作用の摘み、取っ手、引き手等を適宜設けることができる。付勢体としては、少なくとも単数複数のコイルバネ、板バネ、エラストマー等があげられる。
【００１３】
さらに、遊技機は、スロットマシン（パチスロ）の場合には、ＡタイプやＢタイプがあるが、可変表示装置に表示した複数の識別情報をそれぞれ変動させた後に停止させ、この停止した複数の識別情報の組み合わせが予め定められた当選の組み合わせであるときには、通常遊技状態から遊技者に有利な特別遊技状態に移行する機器であれば、いずれのタイプでも良い。
【発明の効果】
【００１４】
本発明によれば、コインカップを構成する内側カップの内部を複数の仕切り板により複数の空間に分割区画することができるので、コインカップの機能上の自由度や利便性を必要に応じ、選択的に向上させることができるという効果がある。
【００１５】
例えば、内側カップを構成する複数の分割カップの間に仕切り板を進出させなければ、複数の分割カップの全領域に払い出されたコインを有効に貯留しておくことができる。これに対し、複数の分割カップの間に仕切り板を進出させれば、右側の山のみを使用して遊技し、左側の山を確保しておくことができるし、左側のコインの山のみを収容箱に一度にまとめて速やかに移し替えることもできる。また、コインの山を右側の空間に押しやり、左側の空間に煙草、ライター、持ち物等を置いて遊技することも可能である。また、複数の分割カップを分割カップ毎に回転させてその内部のコインの山を収容箱に移し替えることも可能である。
【００１６】
また、シャッタを開いて出没孔を開けば、収納ケースに収納されていた退避位置の仕切り板が複数の分割カップの間に付勢体の付勢作用により進出し、内側カップの内部を複数の空間に分けることが可能になる。このようにシャッタを開放するだけで、収納ケースから仕切り板が連結位置方向に進出するので、遊技者が仕切り板を最奥部から手作業で引き出す必要がなく、作業性や操作性を向上させることができる。
さらに、内側カップを構成する分割カップの回転時には、連結具が二枚一組の仕切り板の連結を解除するので、分割カップの回転に支障を来たすことがない。
【発明を実施するための最良の形態】
【００１７】
以下、図面を参照して本発明の好ましい実施の形態、具体的にはスロットマシンと呼ばれている遊技機の基本的な構成から説明する。本実施形態における遊技機は、図１ないし図１６に示すように、サンドと呼ばれている遊技用のコイン貸出機に隣接する縦長の筐体ユニット１と、この筐体ユニット１に着脱可能に収納されるメインユニット７０と、これら筐体ユニット１やメインユニット７０の抽選用のリール装置７６等に電力を供給する電源ユニット１１０と、この電源ユニット１１０からコネクタ等を介し電力を供給されて全体を制御する制御装置１３０とを備え、分離型のスロットマシンとして遊技店の一ブロックであるシマに設置されている。
【００１８】
コイン貸出機は、例えば細長い縦長のボックスに構成され、正面の下部にコイン用の受皿が設置されており、正面の上部には貨幣投入口が形成されている。このようなコイン貸出機は、左右一対の遊技機の間や各遊技機の横に並べて配置され、貨幣投入口に貨幣が投入されることにより、受皿に貨幣の金額に応じたコイン（メダルともいう）Ｃを供給するよう機能する。コインＣは、例えば直径２５ｍｍ、厚さ１．６ｍｍの大きさを有する円板に形成されている。
【００１９】
筐体ユニット１は、図１ないし図５に示すように、正面の開口したフロントオープンボックスタイプの筐体２と、この筐体２の開口した正面の下半分を開閉するドア２３とを備え、筐体２内に、コインＣを払い出すホッパー装置１９とキャシュボックス２１とが左右に並べて設置されている。
【００２０】
筐体２は、上下方向に間隔をおいて相対向する底板３と天井板４とを備え、これら横長の底板３と天井板４との後部間には、縦長で長方形の背面板５が垂直に架設されるとともに、底板３と天井板４との両側部間には、縦長で台形の側板６がそれぞれ垂直に架設されており、これら背面板５と左右一対の側板６とが相互に接続されている。
【００２１】
筐体２の底板３は、天井板４よりも大きい平面視長方形の平板に形成され、筐体２の前後方向に伸びる平面略トラック形の長孔７が左右に並べて穿孔されており、各長孔７が平面視長方形の目隠し板８により上方から積層被覆されている。天井板４の内面には、リール装置７６、電源ユニット１１０、及び制御装置１３０等のコネクタと接続するコネクタブラケットが装着されている。
【００２２】
背面板５には、ホッパー装置１９にシマの補給パイプからコインＣを補給するための補給口９や通気用の複数の溝孔等が穿孔され、背面板５の下部内面の左側部寄りには、演出音、エラー音、効果音、報知音等を鳴り響かせる大型の背面スピーカ１０が装着されている。
【００２３】
一対の側板６の中央部間には、横長の開口を備えた仕切り棚板１１が水平に架設され、この仕切り棚板１１により筐体２の内部空間が上下に二分されている。下半分の内部空間１２には、ホッパー装置１９、キャシュボックス２１、及び電源ユニット１１０等が収納され、上半分の内部空間１２Ａには、メインユニット７０や制御装置１３０がまとめて収納されている。
【００２４】
各側板６の中央部よりもやや上方には、運搬用の把持孔１３が水平に穿孔され、各側板６の上部内面には、メインユニット７０を着脱自在に保持するクリップ１４やカシメ等が装着されている。また、左側の側板６には、ドア用のヒンジ機構１５や蛍光灯安定器１６等がそれぞれ装着され、右側の側板６には、ドア用の鍵受１７や複数の端子を備えた集中端子板１８がベース体を介しそれぞれ装着されており、この集中端子板１８には、メインユニット７０のリール装置７６や遊技店のホールコンピュータＨＣがハーネスやコネクタ等を介し接続されている。
【００２５】
ホッパー装置１９は、ホッパーモータを内蔵した本体と、この本体上に搭載されて補給口９の下方に位置するホッパータンク２０とを備え、底板３の中央部に設置されており、ホッパーモータの駆動に基づき、ローターディスクが回転してホッパータンク２０内に貯留されたコインＣを遊技結果に応じてシュートを介し払い出すよう機能する。
【００２６】
キャシュボックス２１は、上面の開口した縦長のトップオープンボックスに形成され、底板３の右側部に設置されて筐体２の側板６とホッパー装置１９との間に介在配置されており、ホッパー装置１９のホッパータンク２０からオーバーしたコインＣや遊技者により投入されたコインＣを回収するよう機能する。
【００２７】
ドア２３は、図１、図４、図６に示すように、正面視横長の長方形に形成され、側板６のヒンジ機構１５にヒンジ機構１５を介し回転可能に支持されている。このドア２３は、その裏面にホッパー装置１９の前方に位置する貫通口付きのシューターカバー２４が装着され、下部中央には正面視正方形の払出口２５が穿孔されるとともに、略中央部には横長の下部リフレクター４０が正面側から積層されており、上部にはコイン投入口４７と操作ユニット６０とが左右に並べて設置されている。
【００２８】
ドア２３の正面下部には、ホッパー装置１９から払出口２５を介し払い出されたコインＣを貯留する横長のコインカップ２６が装着されている。このコインカップ２６は、図１、図６ないし図８に示すように、左右に横長に形成されてドア２３の正面下部に装着された外側カップ２７と、この外側カップ２７の前端部に軸受２８を介し回転可能に軸支されてコインＣを貯留する内側カップ２９とを備えた二重構造に構成され、これら外側カップ２７と内側カップ２９とがそれぞれ所定の樹脂を用いて成形されている。
【００２９】
外側カップ２７は、図６に示すように、左側部以外の大部分が断面略Ｌ字形に屈曲成形され、直立した背面壁の中央部上方には、払出口２５からのコインＣを下方に導く滑走路３０が傾斜して形成されており、左側部の嵌合孔には、喫煙用の灰皿３１が前方に回転可能に嵌合軸支されている。
【００３０】
内側カップ２９は、図７に示すように、左側部以外の外側カップ２７上に載置されてその左右長手方向に並ぶ複数の分割カップ（本実施形態では３個）３２を備えている。各分割カップ３２は、両側部あるいは一側部と上部とがそれぞれ開口され、外側カップ２７の前端部の軸受２８を中心に外側カップ２７上に載置されている載置位置と外側カップ２７の前方外側の位置との間を揺動（回転）する断面略Ｊ字形又は変形した略Ｕ字形の本体部３３と、この本体部３３とは別体に設けられ、本体部３３の開口した両側部あるいは一側部を塞いで分割カップ３２の側壁を形成する筐体２の前後方向に進退動可能な複数の仕切り板３４とから構成されている。
【００３１】
各本体部３３の開口した両側部あるいは一側部の底部には図７に示すように、仕切り板３４の下部に取り外し不能に嵌合して案内する嵌合溝３５が水平に切り欠かれている。また、複数の仕切り板３４は、それぞれ断面略Ｌ字形に屈曲した矩形の板に形成され、相互に隣接する二枚一組あるいは一枚で用いられるとともに、二枚一組で用いられる場合には、任意の仕切り板３４の上部に連結具３６が揺動（回転）可能に軸支される。
【００３２】
連結具３６は、図７に示すように、断面略逆Ｕ字形に屈曲形成され、分割カップ３２の非揺動（非回転）時には二枚一組の仕切り板３４の上部に上方から嵌合して連結し、内側カップ２９を構成する分割カップ３２の揺動時には二枚一組の仕切り板３４の上部から外れて連結を解除し、任意の仕切り板３４を備えた分割カップ３２の前方への揺動を許容するよう機能する。
【００３３】
各仕切り板３４は、図９に示すように、上部前端に手動操作用の摘み３７が突出形成され、外側カップ２７に載置された分割カップ３２の本体部３３に連結されて分割カップ３２の側壁を形成する連結位置と、この連結位置から筐体側に退避した退避位置との間で進退動する機能を有しており、ドア２３の裏面下部に設置された収納ケース３８に収納されることにより退避位置に位置する。
【００３４】
収納ケース３８は、図９に示すように、正面が開口した縦長の箱形に形成されてコインカップ２６の内部にドア２３や外側カップ２７に縦長に穿孔された出没孔３９を介して連通し、内部の背面壁には、収納された仕切り板３４を連結位置の方向に弾圧付勢する上下一対のコイルバネ（付勢体）３９Ａが間隔をおいて装着されている。
【００３５】
各出没孔３９はシャッタ３９Ｂにより開閉されるが、このシャッタ３９Ｂは、所定の樹脂を使用して矩形の板に成形され、分割カップ３２の回転に支障を来たさないよう、コインカップ２６や分割カップ３２にスライド可能に取り付けられており、出没孔３９の開放時には収納ケース３８に収納された仕切り板３４が連結位置の方向に進出するのを許容し、出没孔３９の閉塞時には収納ケース３８に収納された仕切り板３４が連結位置の方向に進出するのを規制するよう機能する。
【００３６】
下部リフレクター４０は、図６に示すように、正面の開口した断面略皿形に形成され、凹んだ内部には、光度安定用の蛍光灯安定器１６に接続される照明用の下部蛍光灯４１が着脱自在に水平に装着されている。この下部リフレクター４０の正面には、横長の下部パネル枠４２が遊技機の前後方向に起伏可能に支持され、この下部パネル枠４２内には、下部蛍光灯４１を覆う光透過性の下部パネル４３が上方から着脱自在にスライド嵌合されており、下部パネル枠４２の下部には、横長のコインカップレンズ４４が装着されている。
【００３７】
下部パネル４３は、所定の合成樹脂を使用して横長の長方形に形成され、遊技機の名称を含む各種の意匠が施されており、正面の下部両側には、不正改造の防止に資する証紙４５と許諾証４６とがそれぞれ貼着されている。
【００３８】
コイン投入口４７は、ドア２３の上部の凹んだ右側に投入口カバー４８を介して装着され、遊技者により遊技の契機として投入されたコインＣをドア裏面のコインセレクタ４９に供給し、この真偽判別用のコインセレクタ４９から適正なコインＣのみが下方のキャシュボックス２１に落下する。不適正なコインＣは、払出口２５からコインカップ２６に払い出される。
【００３９】
投入口カバー４８には、コイン返却ボタン５０と鍵穴５１とが間隔をおき左右に並べて配設され、この鍵穴５１を貫通した鍵５２がドア２３の錠前機構５３に挿入され、かつ回転操作されることにより、縦長の錠前機構５３の係止爪が筐体２の鍵受１７に係止し、筐体２の開口した正面の下半分を覆うドア２３がロック、アンロックされる。錠前機構５３はドア２３の裏面右側部にドアセンサ５４と共に装着され、ドアセンサ５４はドア２３の開閉を検知する。
【００４０】
操作ユニット６０は、図１、図２、図６、図７に示すように、ドア２３の上部の左側から略中央部にかけて螺着される操作プレート６１を備え、この操作プレート６１に、１ＢＥＴボタン６２、ＭＡＸＢＥＴボタン６３、スタートレバー装置６４、複数のストップボタン６６、及びキャンセルボタン６８が配設されている。操作プレート６１は、断面略倒Ｌ字形、く字形、あるいは倒へ字形等に屈曲して横長に形成され、下方に伸びる正面壁が下部パネル４３の直上に配置されている。
【００４１】
１ＢＥＴボタン６２は、操作プレート６１の上部左側に設置され、クレジットがある場合に一度押圧操作されることにより、１枚のコインＣをゲームに掛けることができるよう機能する。
なお、遊技機は、遊技者のコイン投入の手間を省くことができるよう、コインカップ２６に払い出されるコインＣを最高５０枚までクレジットとして使用できるよう構成されるのが一般的である。
【００４２】
ＭＡＸＢＥＴボタン６３は、１ＢＥＴボタン６２の右方向近傍に設置され、クレジットがある場合に一度押圧操作されることにより、最高３枚のコインＣをゲームに掛けることができるよう機能する。
【００４３】
スタートレバー装置６４は、操作プレート６１の正面壁左側部に装着され、コイン投入口４７にコインＣが投入された後にレバー軸６５が押し下げられる（叩くともいう）ことにより、リール装置７６を構成する複数（本実施形態では３本）のリール８１の回転契機となるよう機能する。
【００４４】
複数のストップボタン６６は、操作プレート６１の正面壁中央部にボタンプレート６７を介し横一列に並設されてリール装置７６のリール数に対応し、各ストップボタン６６が押圧操作されることにより、対応するリール８１の回転が停止する。
なお、コインＣの投入から複数のリール８１の停止までを１ゲームというのが一般的である。
また、キャンセルボタン６８は、スタートレバー装置６４の近傍に設置され、押圧操作されることにより、ゲームをキャンセルしてコインＣを払い出す清算機能を発揮する。
【００４５】
メインユニット７０は、図１１ないし図１４に示すように、筐体２の仕切り棚板１１上に着脱自在に搭載されるフロントオープンボックスタイプのメインフレーム体７１と、このメインフレーム体７１内に開口した正面側から収納されるリール装置７６と、メインフレーム体７１の正面を開閉するキャビネット８８と、このキャビネット８８に装着されてリール装置７６に隣接する液晶ユニット１０６とを備えて構成されている。
【００４６】
メインフレーム体７１は、筐体２の仕切り棚板１１上に着脱自在に搭載されるベース板７２に、正面の開口したメインフレーム７３が載置されることにより構成されている。ベース板７２は、矩形の横長に形成され、複数の孔や溝が形成されている。また、メインフレーム７３は、その正面の両側部間にリールフレーム７４と不正防止板７５とが間隔をおいて上下に並べて架設されている。このメインフレーム７３の正面の左側部には、キャビネット８８用のヒンジ機構１５が縦長に装着され、メインフレーム７３の正面の右側部には、キャビネット８８用の鍵受１７が縦長に装着されている。
【００４７】
リール装置７６は、メインフレーム体７１のベース板７２上に螺着される断面略Ｃ字形のリールボックス７７と、このリールボックス７７の内底左右方向に間隔をおいて立設される複数のモータプレート７８と、各モータプレート７８に装着支持され、回転角の制御に便利なステッピングモータ等からなるモータ８０とを備え、各モータ８０の横方向に指向する駆動軸にはリール８１が嵌着されている。
【００４８】
各モータプレート７８には、リール８１のバックライトとして点灯・消灯するバックライト基板が装着されている。リール８１は、モータ８０の駆動軸に嵌着されるドラム８２を備え、このドラム８２には、合成樹脂製のリールテープ８３が嵌合されており、このエンドレスのリールテープ８３の表面には図４に示すように、識別情報である抽選用の図柄８４が複数（例えば２１個）周方向に間隔をおいて描かれている。
【００４９】
抽選用のリール８１の図柄８４は小当たりの役を示す普通図柄８５と、大当たりの役を示す特別図柄８６と、成立したゲームと同じ投入枚数のゲームを無料で行なえる役を示す再遊技図柄８７とに分類され、特別図柄８６はさらに通常図柄８６Ａと特定図柄８６Ｂとに分類される。
【００５０】
普通図柄８５としては、「スイカ」、「チェリー」、「ベル」等を模した図柄があげられる。特別図柄８６の通常図柄８６Ａとしては、レギュラーボーナスと呼ばれる「ＢＡＲ」があげられ、特別図柄８６の特定図柄８６Ｂとしては、ビッグボーナスと呼ばれる「７」があげられる。また、再遊技図柄８７としては、「Ｒｅｐｌａｙ」や「ＲＰ」があげられる。
【００５１】
このようなリール装置７６は、コインＣ投入後の停止時に複数の図柄８４を３×３のマトリクスに表示して入賞ラインを横３本・斜め２本の合計５本設定し、モータ８０の駆動時には複数のリール８１が共に回転したり、個別に回転し、図柄８４を用いて当たり外れを抽選し、大当たりの場合には、通常の遊技状態から遊技者に有利な特別遊技状態に移行させるよう機能する。例えば、抽選の結果、「スイカ」「ＢＡＲ」「７」のように複数の図柄８４の組み合わせが横方向あるいは斜め方向に全て揃ったが、予め定められた同種の図柄８４の組み合わせでない場合には、外れとなる。
【００５２】
これに対し、「スイカ」「スイカ」「スイカ」のように複数の図柄８４の組み合わせが横方向あるいは斜め方向に全て揃い、予め定められた普通図柄８５の組み合わせとなる場合には、小当たりの役に当選してコインカップ２６に１〜１５枚のコインＣがホッパー装置１９から払い出される。
【００５３】
また、「ＢＡＲ」「ＢＡＲ」「ＢＡＲ」のように選択された複数の図柄８４の組み合わせが横方向あるいは斜め方向に全て揃い、予め定められた通常図柄８６Ａの組み合わせとなる場合には、大当たりの役のレギュラーボーナスに当選して高確率で払い出しのあるゲームが所定回数（例えば１２回）可能になる。さらに、「７」「７」「７」のように選択された複数の図柄８４の組み合わせが全て揃い、予め定められた特定図柄８６Ｂの組み合わせとなる場合には、大当たりの役のビッグボーナスに当選し、小当たりとレギュラーボーナスが高確率で当選するゲームが所定回数（例えば３０回）可能になる。
【００５４】
キャビネット８８は、正面視横長の矩形に形成され、リール装置７６や液晶ユニット１０６視認用の開口８９が横長に形成されており、メインフレーム体７１のヒンジ機構１５にヒンジ機構１５を介して回転可能に支持されている。このキャビネット８８の裏面における開口８９の下部周縁には、横長の中部基板９０が同じく横長の中部不正防止板９１を介し裏面側から装着され、この中部基板９０の表面には、ランプを含む複数の表示器９２・９２Ａ・９２Ｂが横一列に配列されている。
【００５５】
キャビネット８８の裏面における開口８９の上方には、照明用の蛍光灯９３が横長の上部リフレクター９４やコネクタ等を介し裏面側から着脱自在に水平に装着され、この蛍光灯９３の上方には、リール装置７６に接続されたサブ中継基板９５とランプ付きのアーチランプ基板９６とが上下に並べて装着されており、サブ中継基板９５の制御下でアーチランプ基板９６のＬＥＤやランプが点灯、点滅して遊技者の射幸心を適度に煽るよう機能する。
【００５６】
キャビネット８８の裏面における上部両側の取付孔には、サブ中継基板９５の制御下で演出音、エラー音、効果音、報知音を響かせる上部スピーカ９７が正面略矩形のグリル９８を介し裏面側からそれぞれ嵌着されている。また、キャビネット８８の裏面右側部には、縦長の錠前機構５３が設置され、この錠前機構５３がメインフレーム７３の鍵受１７に係止されることにより、メインフレーム体７１の正面がキャビネット８８に覆われる。
【００５７】
キャビネット８８の表面には、開口８９、中部基板９０、蛍光灯９３、及び液晶ユニット１０６等を覆う光透過性の上部パネル９９が重ねて装着され、この上部パネル９９の表面周囲には、装飾された上部パネル枠１００が重ねて装着されている。上部パネル９９は、各種の意匠が施され、下部中央には、複数の表示窓１０１・１０１Ａ・１０１Ｂが横一列に形成されており、この複数の表示窓１０１・１０１Ａ・１０１Ｂから中部基板９０の表示器９２・９２Ａ・９２Ｂがそれぞれ露出して各種の表示機能を発揮する。
【００５８】
例えば、左側部の表示器９２はコインＣの払い出し枚数（例えば、一度に最高１５枚払い出される）や各種のエラー（例えば、払い出されるコインＣの詰まりや制御装置１３０のＣＰＵエラー等）を表示窓１０１に表示し、中央部の表示器９２Ａは現時点における抽選の当選確率の設定値や選択された当選確率の設定値を表示窓１０１Ａに点滅表示する。また、右側部の表示器９２Ｂは、コインＣのクレジット数を表示窓１０１Ｂに表示する。
【００５９】
キャビネット８８の表面における上部中央には、中部基板９０の露出したランプを覆う上部ランプレンズ１０２が装飾して装着され、キャビネット８８の表面における上部両側には、露出した上部スピーカ９７を覆うスピーカレンズ１０３がそれぞれ装飾して装着されており、これら上部ランプレンズ１０２とスピーカレンズ１０３との間の下方には、サブ中継基板９５に制御される湾曲したアーチ基板１０４が装着されるとともに、このＬＥＤ付きのアーチ基板１０４には、略円弧形に湾曲して装飾されたＬＥＤレンズ１０５が重ねて被覆されている。
【００６０】
液晶ユニット１０６は、図１３に示すように、縦長に形成され、キャビネット８８の開口右側部に嵌着して上部パネル９９に被覆されており、サブ中継基板９５に接続されて遊技時にナビゲーション機能、演出を動画で表現する機能、ボーナス入賞回数等を表示する機能等を発揮する。
【００６１】
電源ユニット１１０は、図４、図５、図１５に示すように、背面スピーカ１０、蛍光灯安定器１６、ホッパー装置１９、下部蛍光灯４１、コインセレクタ４９、操作ユニット６０、リール装置７６、液晶ユニット１０６等の要通電部分に電力を供給する電源装置１１１と、抽選の当選確率を含む初期設定等を変更する設定装置１１６とを備え、筐体２の仕切り棚板１１の下面に下方から装着されてホッパー装置１９の上方に位置し、遊技店のコンセントに接続されるとともに、外部のアースにアース線を介して接続されている。
【００６２】
電源装置１１１は、正面のメインスイッチ１１２がＯＮ／ＯＦＦされることにより主電源をＯＮ／ＯＦＦする機能と、正面のヒューズ１１３により過電流から回路を保護する機能と、正面のＡＣランプ１１４の点灯によりＡＣ１００Ｖが接続されていることを示す機能と、正面のパワーランプ１１５の点灯により制御装置１３０の電源が正常であることを示す機能等を有している。
【００６３】
設定装置１１６は、専用のキー１１７を用いた正面の設定キースイッチ１１８の回転操作により抽選の当選確率を含む設定を変更したり、確定させる機能と、正面の設定変更スイッチ１１９の操作により設定を変更したり、エラーが発生した場合にエラーを解除する機能と、正面の打ち止め切り替えスイッチ１２０の操作により大当たり終了時に自動的に打ち止めを解除して遊技を継続させたり、大当たり終了時にクレジット内のコインＣを全て払い出す機能等を有している。
【００６４】
なお、当選確率を含む設定を変更する場合には、先ず、遊技機のドア２３を開けて電源ユニット１１０の設定キースイッチ１１８をＯＮにし、メインスイッチ１１２をＯＮにして制御装置１３０をクリアし、電源ユニット１１０の設定変更スイッチ１１９を操作して１〜６段階の確率を選択する。１〜６段階の確率を選択したら、リール８１を回転させるスタートレバー装置６４のレバー軸６５を押し下げて選択した確率を確定させ、その後、電源ユニット１１０の設定キースイッチ１１８をＯＦＦにして制御装置１３０をクリアすれば、設定を変更することができる。
【００６５】
制御装置１３０は、図４、図１１、図１６に示すように、リール装置７６や中部基板９０に接続されたメイン基板と呼ばれる主制御装置１３１と、この主制御装置１３１からの制御信号を受信してその制御下で作動するサブ基板と呼ばれる副制御装置１４０とを備えて構成されている。主制御装置１３１は、プリント基板からなる回路基板に演算処理機能を有するＣＰＵ、ＲＯＭ、ＲＡＭ、ＬＥＤ、その他の電子部品が実装され、不正改造防止用の透明の樹脂ケース１３２に強固に収納封止されており、この樹脂ケース１３２がメインフレーム７３の背面両側部間にベースを介し水平に架設されて正面視でリール装置７６の上方に位置している。
【００６６】
このような主制御装置１３１は、ＣＰＵがＲＡＭを作業領域としてＲＯＭに記憶された所定のプログラムを読み込むことにより、コンピュータとして所定の手段を実現し、コインセレクタ４９、スタートレバー装置６４を含む操作ユニット６０、リール装置７６、中部基板９０、電源ユニット１１０等の動作を制御するよう機能する。
【００６７】
所定の手段としては、例えばスタートレバー装置６４の操作に基づき、予め定められた抽選の確率により当選か否かを抽選する当選抽選手段、ホッパー装置１９やリール装置７６を制御する遊技制御手段等があげられる。当選抽選手段は抽選用の乱数発生機能、乱数抽出機能、当選判定テーブル機能、判定テーブル機能等を含み、遊技制御手段は通常遊技機能や特別遊技機能等を含む。
【００６８】
副制御装置１４０は、プリント基板からなる回路基板に演算処理機能を有するＣＰＵ、ＲＯＭ、ＲＡＭ、サウンドボリューム、リセットスイッチ、点検用のモニタＬＥＤ、その他の電子部品が実装され、メインフレーム体７１の内部右側に立てた状態で収納封止されてリール装置７６に隣接している。このような副制御装置１４０は、ＣＰＵがＲＡＭを作業領域としてＲＯＭに記憶された所定のプログラムを読み込むことにより、背面スピーカ１０、サブ中継基板９５、上部スピーカ９７等の動作を制御する。
【００６９】
上記において、スロットマシンと呼ばれる遊技機で遊技する場合には、先ず、コイン投入口４７に借りて来たコインＣを好ましくは３枚投入してスタートレバー装置６４のレバー軸６５を押し下げ、上部パネル９９に複数の図柄８４を３×３のマトリクスに表示している複数のリール８１をそれぞれ回転させる。
【００７０】
この際、コインＣを３枚以上投入すると、表示器８２Ａがクレジットの増加を表示し、５０枚以上になると、コインカップ２６内にコインＣが払い出される。クレジットがある場合、ＭＡＸＢＥＴボタン６３を押圧操作すれば、コインＣを投入しなくても３枚掛けることができ、便利である。また、スタートレバー装置６４のレバー軸６５が押し下げられると、制御装置１３０の主制御装置１３１に信号が出力され、この主制御装置１３１の当選抽選手段が当たり外れを抽選するとともに、リール装置７７を駆動させる。
【００７１】
コインＣが払い出される際、コインカップ２６の内側カップ２９を構成する複数の分割カップ３２の間に仕切り板３４を進出させなければ、複数の分割カップ３２の全領域が左右方向に長く連通するので、この連通した広い全領域に払い出されたコインＣをきわめて有効に貯留しておくことができる。
【００７２】
次いで、複数のストップボタン６６を順次押圧操作して複数のリール８１を全て停止させる。上記抽選の結果が当たりの場合には、「７」「７」「７」のように複数の図柄８４が一直線に揃い、予め定められた特定図柄８６Ｂの組み合わせとなる。したがって、この場合には、ビッグボーナスに当選し、小当たりとレギュラーボーナスが高確率で当選するゲームを所定回数楽しむことができるとともに、コインＣが図柄８４に応じた枚数分（例えば２２０〜６３０枚）コインカップ２６に払い出される。以下、上記ゲームが繰り返される。
【００７３】
さて、遊技の際、コインカップ２６の中央部に払い出されたコインＣの山を左右方向に振り分け、右側の山のみを使用して遊技し、左側の山を確保しておきたい場合には、コインＣの山を左右に振り分けた後、コインカップ２６の左側の閉じた状態のシャッタ３９Ｂをスライドさせて開けば良い。
【００７４】
すると、左側の収納ケース３８に収納されていた仕切り板３４が圧縮状態のコイルバネ３９Ａの復元作用により、コインカップ２６の正面方向に進出して出没孔３９から露出するので、仕切り板３４の摘み３７を操作して手前に完全に引き出せば、仕切り板３４が左側に位置する分割カップ３２の嵌合溝３５に案内されつつ前方にスライドし、左側に位置する分割カップ３２の開口した側部を閉塞する（図９参照）。この分割カップ３２の閉塞により、コインカップ２６の広い内部が左右に二分されるので、コインＣの右側の山のみを使用して遊技し、左側の山を確保しておくことができる。
【００７５】
また、左側の分割カップ３２に確保したコインＣの山のみをドル箱と呼ばれる収容箱に移し替えたい場合には、左側に位置する分割カップ３２を手動操作して手前に回せば、仕切り板３４に仕切られてボックス化した分割カップ３２が外側カップ２７上の載置位置から前方外側に回転する（図８参照）ので、左側のコインＣの山のみを収容箱に迅速に移し替えることができる。
【００７６】
上記構成によれば、内側カップ２９の内部を、複数の仕切り板３４の進退動により複数の空間に区画したり、単一の広い空間とすることができるので、コインカップ２６の機能上の自由度や利便性を必要に応じ選択的に向上させることができる。また、分割カップ３２を個別に揺動させてそのコインＣの山のみを収容箱にきわめて容易に移し替えることができる。
【００７７】
また、本体部３３の嵌合溝３５に、仕切り板３４の屈曲した短辺下部が取り外し不能に嵌合されるので、仕切り板３４の盗難や紛失の防止を図ることが可能になる。さらに、二枚一組の仕切り板３４の上部に連結具３６が着脱自在に嵌合するので、任意の仕切り板３４を備えた分割カップ３２を前方に円滑に揺動させることができ、しかも、任意の仕切り板３４を備えた分割カップ３２の揺動の際、隣接する分割カップ３２の仕切り板３４の紛失することがない。
【００７８】
なお、上記実施形態ではコインカップ２６の左側部に灰皿３１を着脱自在に装着したが、何らこれに限定されるものではない。例えば、灰皿３１を省略してその分コインカップ２６の左側壁を延長したり、灰皿３１を単に省略しても良い。また、１ＢＥＴボタン６２を設置したが、何らこれに限定されるものではない。例えば１ＢＥＴボタン６２を省略することもできるし、２ＢＥＴボタンを設置しても良い。また、スタートレバー装置６４のレバー軸６５を上下方向に揺動させても良いが、左右方向や斜め方向に揺動させても良い。
【００７９】
また、リール装置７６の役として、シングルボーナス、集中役、チャレンジタイム等を設けることが可能である。また、リール装置７６のリールの制御に関しては、コントロール方式、テーブル方式、複合型等があるが、いずれをも採用することが可能である。また、告知ランプを設けて抽選に当選したことを報知することも可能である。さらに、縦長ではなく、横長の液晶ユニット１０６を設置することも可能である。
【図面の簡単な説明】
【００８０】
【図１】本発明に係る遊技機の実施形態におけるメインユニットを取り外した状態を示す全体斜視説明図である。
【図２】本発明に係る遊技機の実施形態を示す正面説明図である。
【図３】本発明に係る遊技機の実施形態を示す側面説明図である。
【図４】本発明に係る遊技機の実施形態におけるドアとキャビネットとを開放した状態を示す正面説明図である。
【図５】本発明に係る遊技機の実施形態における筐体ユニットを示す分解斜視説明図である。
【図６】本発明に係る遊技機の実施形態におけるドアを表面側から示す分解斜視説明図である。
【図７】本発明に係る遊技機の実施形態におけるコインカップを示す断面正面図である。
【図８】本発明に係る遊技機の実施形態におけるコインカップの内側カップや分割カップを示す断面説明図である。
【図９】本発明に係る遊技機の実施形態におけるドアやコインカップ等を示す断面説明図である。
【図１０】本発明に係る遊技機の実施形態における操作ユニットを裏面側から示す分解斜視説明図である。
【図１１】本発明に係る遊技機の実施形態におけるメインユニット等を示す分解斜視説明図である。
【図１２】発明に係る遊技機の実施形態におけるリール装置を示す分解斜視説明図である。
【図１３】発明に係る遊技機の実施形態におけるキャビネットを裏面側から示す分解斜視説明図である。
【図１４】本発明に係る遊技機の実施形態におけるキャビネットを表面側から示す分解斜視説明図である。
【図１５】本発明に係る遊技機の実施形態における電源ユニットを示す斜視説明図である。
【図１６】本発明に係る遊技機の実施形態を示す回路構成図である。
【符号の説明】
【００８１】
１          筐体ユニット
２          筐体
２３        ドア
２６        コインカップ
２７        外側カップ
２８        軸受
２９        内側カップ
３２        分割カップ
３３        本体部
３４        仕切り板
３５        嵌合溝
３６        連結具
３７        摘み
３８        収納ケース
３９        出没孔
３９Ａ      コイルバネ（付勢体）
３９Ｂ      シャッタ
７０        メインユニット
７６        リール装置
１１０      電源ユニット
１３０      制御装置
Ｃ          コイン
【図１】
2007075526.tif 000003
【図２】
2007075526.tif 000004
【図３】
2007075526.tif 000005
【図４】
2007075526.tif 000006
【図５】
2007075526.tif 000007
【図６】
2007075526.tif 000008
【図７】
2007075526.tif 000009
【図８】
2007075526.tif 000010
【図９】
2007075526.tif 000011
【図１０】
2007075526.tif 000012
【図１１】
2007075526.tif 000013
【図１２】
2007075526.tif 000014
【図１３】
2007075526.tif 000015
【図１４】
2007075526.tif 000016
【図１５】
2007075526.tif 000017
【図１６】
2007075526.tif 000018